(57)【要約】【課題】防水構造を維持しつつ、パネルアレイの取付構造に用いられる部材を削減し、施工が簡便なパネルアレイの取付構造を提供する。【解決手段】一態様に係るパネルアレイの取付構造は、水平面から傾斜した設置面にパネルアレイを取り付けるためのパネルアレイの取付構造に関する。パネルアレイの取付構造は、パネルアレイを構成する一パネルのうちの水上側のパネル１００Ｂの水下側の端部を支持する水下側の固定具２０と、当該一パネルの水上側の端部を支持する水上側の固定具２０と、水下側の固定具と設置面との間を通る水下側の被覆板９０と、水上側の固定具と設置面との間を通る水上側の被覆板９０と、を有する。水上側の被覆板は、水上側の固定具を設置面に固定する固定部材３２によって設置面に固定されている。水上側の被覆板の水下側の端部９０ａは、水下側の固定具の水上側で、水下側の被覆板を覆っている。【選択図】図３
2018003245.tif 000002
【特許請求の範囲】
【請求項１】
水平面から傾斜した設置面にパネルアレイを取り付けるためのパネルアレイの取付構造であって、
前記パネルアレイを構成する一パネルの水下側の端部を支持する水下側の固定具と、
前記一パネルの水上側の端部を支持する水上側の固定具と、
前記水下側の固定具と前記設置面との間を通る水下側の被覆板と、
前記水上側の固定具と前記設置面との間を通る水上側の被覆板と、を有し、
前記水上側の被覆板は、前記水上側の固定具を前記設置面に固定する固定部材によって前記設置面に固定されており、
前記水上側の被覆板の水下側の端部は、前記水下側の固定具の水上側で、前記水下側の被覆板を覆っている、パネルアレイの取付構造。
【請求項２】
前記水上側の被覆板の水下側の端部は、前記水下側の固定具に当接している、請求項１に記載のパネルアレイの取付構造。
【請求項３】
前記水上側の被覆板の水下側の端部は、前記水下側の固定具を前記設置面に固定する固定部材を覆っている、請求項１又は２に記載のパネルアレイの取付構造。
【請求項４】
前記被覆板は、建造物の屋根に元々備わっている屋根材とは異なる部材から構成される、請求項１から３のいずれか１項に記載のパネルアレイの取付構造。
【請求項５】
前記被覆板は板金からなる、請求項１から４のいずれか１項に記載のパネルアレイの取付構造。
【請求項６】
少なくとも前記水下側の被覆板の水上側の端部は、前記設置面とは反対側に折り返されている、請求項１から５のいずれか１項に記載のパネルアレイの取付構造。
【請求項７】
少なくとも前記水下側の被覆板は、前記水上側の被覆板と重なる領域に、前記流れ方向に交差する方向に延びる防水部材を有する、請求項１から６のいずれか１項に記載のパネルアレイの取付構造。
【請求項８】
前記防水部材は弾性部材からなる、請求項７に記載のパネルアレイの取付構造。
【請求項９】
少なくとも前記水下側の固定具は、前記一パネルの水下側に隣接する水下側のパネルの水上側の端部を支持する、請求項１から８のいずれか１項に記載のパネルアレイの取付構造。
【請求項１０】
水平面から傾斜した設置面にパネルアレイを取り付ける方法であって、
前記設置面上に水下側の被覆板を設置するステップと、
前記設置面に前記水下側の被覆板を介して水下側の固定具を固定するステップと、
前記水下側の固定具の水上側で前記水下側の被覆板を覆うように、前記設置面上に水上側の被覆板を設置するステップと、
パネルの水下側の端部を前記水下側の固定具に支持させるステップと、
前記パネルの水上側の端部を水上側の固定具に支持させるステップと、
前記水上側の固定具を固定部材によって前記水上側の被覆板を介して前記設置面に固定するステップと、を有する、方法。
【請求項１１】
前記水上側の被覆板は、前記水上側の被覆板の水下側の端部が前記水下側の固定具に当接するように設置される、請求項１０に記載の方法。
【請求項１２】
前記水上側の被覆板は、前記水上側の被覆板の水下側の端部が前記水下側の固定具を前記設置面に固定する固定部材を覆うように設置される、請求項１０又は１１に記載の方法。
【請求項１３】
建造物の屋根に元々備わっている屋根材を取り除くステップを有し、
前記被覆板は、前記屋根材とは異なる部材から構成され、前記屋根材の下地上に設置される、請求項１０から１２のいずれか１項に記載の方法。
【請求項１４】
前記パネルの水下側に隣接する水下側のパネルの水上側の端部を前記水下側の固定具に支持させるステップをさらに有する、請求項１０から１３のいずれか１項に記載の方法。
【発明の詳細な説明】
【技術分野】
【０００１】
本発明は、複数配列したパネルを含むパネルアレイの取付構造と、パネルアレイを取り付ける方法と、に関する。
【背景技術】
【０００２】
近年、複数の太陽電池モジュールが建造物の屋根のような傾斜面に設置されることがある。建造物の屋根のように屋外に設置される太陽電池モジュールでは、設置面からの水漏れを防止するため、太陽電池モジュールの取付構造に防水構造を含ませることが検討されている。
【０００３】
下記特許文献１は、傾斜した屋根にソーラーシステムを取り付けるためのソーラーシステムの取付構造を開示している。この取付構造は、少なくとも３枚のスレートと、取付プレートと、スペーサと、を有する。少なくとも３枚のスレートは互いに重ねられている。さらに、少なくとも３枚のスレートは、各スレートの水下側の端部が露出するように、屋根の傾斜方向に互いにずらして配置されている。
【０００４】
スペーサは、中央のスレートと屋根の下地との間であって、下側のスレートの水上側に配置されている。取付プレートは、上側のスレートと中央のスレートの間に挿入された挿入部と、上側のスレートの水下側の端部から突出してソーラーシステムに取り付けられた取付部と、を有する。取付プレートの挿入部は、当該挿入部と中央のスレートとスペーサとを貫通するビスによって屋根の下地に固定されている。
【０００５】
また、防水シートが、スペーサの下側に敷設されており、この防水シートは下側のスレートの下方にまで延設されている。さらに、取付プレートと中央のスレートとの間であってビスが打ち込まれる部分の周囲に、別の防水シートが敷設されている。
【先行技術文献】
【特許文献】
【０００６】
【特許文献１】特許第５７１９２４５号公報
【発明の概要】
【発明が解決しようとする課題】
【０００７】
特許文献１に記載された取付構造は、前述したように、少なくとも３枚のスレートと、取付プレートと、スペーサと、２つの防水シートと、を有する。したがって、取付構造を構成する部材の数が多く、当該取付構造を構築する方法が複雑になってしまう。
【０００８】
なお、このような課題は、ソーラーシステムの取付構造に限られず、複数のパネルが配列したパネルアレイの取付構造にも生じ得る。
【０００９】
したがって、防水構造を維持しつつ、パネルアレイの取付構造に用いられる部材を削減し、施工が簡便なパネルアレイの取付構造及びパネルアレイを取り付ける方法が望まれる。
【課題を解決するための手段】
【００１０】
一態様に係るパネルアレイの取付構造は、水平面から傾斜した設置面にパネルアレイを取り付けるためのパネルアレイの取付構造に関する。当該パネルアレイの取付構造は、パネルアレイを構成する一パネルのうちの水上側のパネルの水下側の端部を支持する水下側の固定具と、当該一パネルの水上側の端部を支持する水上側の固定具と、水下側の固定具と設置面との間を通る水下側の被覆板と、水上側の固定具と設置面との間を通る水上側の被覆板と、を有する。水上側の被覆板は、水上側の固定具を設置面に固定する固定部材によって設置面に固定されている。水上側の被覆板の水下側の端部は、水下側の固定具の水上側で、水下側の被覆板を覆っている。
【００１１】
一態様に係る方法は、水平面から傾斜した設置面にパネルアレイを取り付ける方法に関する。当該方法は、設置面上に水下側の被覆板を設置するステップと、設置面に水下側の被覆板を介して水下側の固定具を固定するステップと、水下側の固定具の水上側で水下側の被覆板を覆うように、設置面上に水上側の被覆板を設置するステップと、パネルの水下側の端部を水下側の固定具に支持させるステップと、パネルの水上側の端部を水上側の固定具に支持させるステップと、水上側の固定具を固定部材によって水上側の被覆板を介して設置面に固定するステップと、を有する。
【発明の効果】
【００１２】
上記態様によれば、防水構造を維持しつつ、用いられる部材を削減し、施工が簡便なパネルアレイの取付構造及びパネルアレイを取り付ける方法を提供することができる。
【図面の簡単な説明】
【００１３】
【図１】一実施形態に係るパネルアレイの取付構造の斜視図である。
【図２】パネルアレイが取り除かれたパネルアレイの取付構造を示す斜視図である。
【図３】図１の３Ａ−３Ａ方向に沿ったパネルアレイの取付構造の断面図である。
【図４】図３の領域４Ａを拡大した拡大図である。
【図５】一実施形態に係る被覆板の平面図である。
【図６】一方のパネルのみを支持したパネルアレイ用の固定具の斜視図である。
【図７】図６の領域７Ａにおける固定具の拡大斜視図である。
【図８】図７の矢印８Ａ方向から見た固定具の側面図である。
【図９】第３支持部を除いた固定具の分解斜視図である。
【図１０】締結部材を緩めた状態の固定具の側面図である。
【図１１】スペーサが設置された固定具の側面図である。
【図１２】スペーサの一例を示す平面図である。
【図１３】固定具を用いてパネルアレイを設置する方法の一ステップを示す図である。
【図１４】図１３に続くステップを示す図である。
【図１５】図１４に続くステップを示す図である。
【図１６】図１５に続くステップを示す図である。
【発明を実施するための形態】
【００１４】
以下、図面を参照して、実施形態に係るパネルアレイの取付構造と、パネルアレイ用の固定具について説明する。
【００１５】
図１は、一実施形態に係るパネルアレイの取付構造を示している。図２は、図１からパネルを取り除いた状態を示している。図３は、図１の３Ａ−３Ａ方向に沿ったパネルアレイの取付構造の断面図である。図４は、図３の領域４Ａを拡大した拡大図である。パネルアレイは、水平面から傾斜した設置面に設置される。そのような設置面として、例えば建造物の屋根、具体的にはスレートや瓦のような屋根材２１０や、野地板のような屋根材の下地２２０が挙げられる。なお、野地板は、その表面にルーフィングが施されたものを含む。図示した実施形態では、パネルアレイは、屋根材２１０の下地２２０上に設置される。
【００１６】
本明細書において、傾斜した設置面において最大傾斜線に沿って高い方から低い方へ向かう方向を「流れ方向Ｆ１」と称する。流れ方向Ｆ１の上流側を「水上側」と称する。流れ方向Ｆ１の下流側を「水下側」と称する。また、水平面に平行な面内で流れ方向Ｆ１と直交する方向を「横方向Ｆ２」と称する。
【００１７】
パネルアレイの取付構造は、複数のパネル１００Ａ，１００Ｂと、パネルアレイ用の複数の固定具２０Ｏ，２０Ａ，２０Ｂと、複数の被覆板９０Ｏ，９０Ａ，９０Ｂと、を有する。複数のパネル１００Ａ，１００Ｂは、流れ方向Ｆ１及び横方向Ｆ２に複数並んでいる。パネル１００Ａ，１００Ｂは、例えば太陽電池モジュールであってよい。各々のパネル１００Ａ，１００Ｂは、固定具２０Ｏ，２０Ａ，２０Ｂによって設置面に設置される。
【００１８】
本実施形態では、固定具２０Ｏ，２０Ａ，２０Ｂは、各パネル１００Ａ，１００Ｂの水上側の端部と水下側の端部に設けられる。最も水上側の固定具２０Ｂと最も水下側の固定具２０Ｏを除き、固定具２０Ａは、流れ方向Ｆ１に互いに隣接するパネル１００Ａ，１００Ｂの両方を支持する（図４参照）。具体的には、固定具２０Ａは、水下側のパネル１００Ａの水上側の端部と、水上側のパネル１００Ｂの水下側の端部と、を支持する。各固定具２０Ｏ，２０Ａ，２０Ｂは、固定部材３２によって設置面に固定される。固定部材３２は、例えばボルト、ビス及び釘のうちの少なくとも１つであってよい。なお、最も水上側の固定具２０Ｂと最も水下側の固定具２０Ｏは、流れ方向Ｆ１に互いに隣接するパネル１００Ａ，１００Ｂの両方を支持する固定具２０Ａと同じ構造を有していてよい。
【００１９】
複数の被覆板９０Ｏ，９０Ａ，９０Ｂは、設置面を覆っている。被覆板９０Ｏ，９０Ａ，９０Ｂは、液体を透過しない材料から構成される。本実施形態では、被覆板９０Ｏ，９０Ａ，９０Ｂは、屋根に元々備わっている屋根材とは異なる部材から構成されている。被覆板９０Ｏ，９０Ａ，９０Ｂは、例えば板金であってよい。この場合、設置されるパネル１００Ａ，１００Ｂのサイズや固定具２０Ｏ，２０Ａ，２０Ｂの位置に応じて被覆板９０Ｏ，９０Ａ，９０Ｂのサイズを適切に設計できる。この代わりに、被覆板９０Ｏ，９０Ａ，９０Ｂは、例えばスレートのように屋根に元々備わっている屋根材２１０であってもよい。
【００２０】
各被覆板９０Ｏ，９０Ａ，９０Ｂは、各固定具２０Ｏ，２０Ａ，２０Ｂと設置面との間を通る。各被覆板９０Ｏ，９０Ａ，９０Ｂは、各固定具２０Ｏ，２０Ａ，２０Ｂの固定部材３２によって設置面に固定されている。なお、防水性を確保するために、固定具２０Ｏ，２０Ａ，２０Ｂと被覆板９０Ｏ，９０Ａ，９０Ｂとの間に防水シート６６を配置した状態で固定具２０Ｏ，２０Ａ，２０Ｂは固定部材３２によって設置面に固定されている。これにより、固定部材３２を伝って水が設置面へ浸入することが防止される。一の固定具２０Ａ，２０Ｂ（水上側の固定具）により固定された被覆板９０Ａ，９０Ｂ（水上側の被覆板）の水下側の端部９０Ａａ，９０Ｂａは、それぞれ、この水上側の固定具２０Ａ，２０Ｂの水下側に位置する固定具２０Ｏ，２０Ａ（水下側の固定具）により固定された被覆板９０Ｏ，９０Ａ（水下側の被覆板）の一部を覆っている（図３及び図４参照）。
【００２１】
水上側の被覆板９０Ａ，９０Ｂの水下側の端部９０Ａａ，９０Ｂａは、それぞれ水下側の固定具２０Ｏ，２０Ａに当接していることが好ましい。水上側の被覆板９０Ａ，９０Ｂの水上側の端部９０Ａｂは、当該水上側の被覆板９０Ａ，９０Ｂを固定する固定具２０Ａ，２０Ｂよりも水上側まで延びている。したがって、流れ方向Ｆ１における被覆板９０Ａ，９０Ｂの長さは、流れ方向Ｆ１におけるパネル１００Ａ，１００Ｂの長さよりも長い。
【００２２】
パネル１００Ａ，１００Ｂ、固定具２０Ｏ，２０Ａ，２０Ｂ及び被覆板９０Ｏ，９０Ａ，９０Ｂは、流れ方向Ｌにおいて、上述した構造を繰り返している。したがって、流れ方向Ｆ１に互いに隣接する被覆板９０Ｏ，９０Ａ，９０Ｂのうち水上側の被覆板９０Ａ，９０Ｂの水下側の端部９０Ａａ，９０Ｂａは、それぞれ水下側の被覆板９０Ｏ，９０Ａの水上側の端部９０Ｏｂ，９０Ａｂと重なっている。これにより、水が被覆板９０Ｏ，９０Ａ，９０Ｂ上を流れ方向Ｆ１に流れたとき、水は、被覆板９０Ｏ，９０Ａ，９０Ｂの水下側の端部から別の被覆板９０Ｏ，９０Ａ，９０Ｂ上に達することになる。したがって、流れ方向Ｆ１に流れる水が設置面に直接付着することを防止することができ、設置面の防水構造が維持される。
【００２３】
また、各固定具２０Ｏ，２０Ａ，２０Ｂと設置面との間には、１枚の被覆板９０Ｏ，９０Ａ，９０Ｂが存在することになる。さらに、各固定具２０Ｏ，２０Ａの水上側の被覆板９０Ａ，９０Ｂの水下側の端部９０Ａａ，９０Ｂａは、固定具２０Ｏ，２０Ａよりも水上側に位置する、又は固定具２０Ｏ，２０Ａに当接している。したがって、流れ方向Ｆ１において、１つの固定具２０に対して、１又は２枚の被覆板９０が関わる。また、各固定具２０同士の間には、１枚または２枚の被覆板９０のみが存在する。よって、パネルアレイの取付構造を簡素化することができ、パネルアレイを容易に設置面に設置することができる。
【００２４】
また、被覆板９０Ａ，９０Ｂの水下側の端部９０Ａａ，９０Ｂａは、固定具２０Ｏ，２０Ａを設置面に固定する固定部材３２を覆っていることが好ましい。これにより、水が被覆板９０Ａ，９０Ｂ上を流れ方向Ｆ１に流れたときに、水が固定部材３２に付着し難くなる。したがって、例えば錆のような固定部材３２の劣化を抑制することができる。
【００２５】
被覆板９０Ｏ，９０Ａ，９０Ｂの水上側の端部９０Ｏｂ，９０Ａｂは、設置面とは反対側に折り返された折り返し部９２を有することが好ましい。折り返し部９２は、横方向Ｆ２に延びている（図５参照）。これにより、水が風の影響によって被覆板９０Ｏ，９０Ａ，９０Ｂ上で水上側へ逆流した場合であっても、水の逆流が折り返し部９２で阻止される。したがって、逆流した水が設置面に達することを抑制することができる。
【００２６】
なお、被覆板９０Ｏ，９０Ａ，９０Ｂの横方向Ｆ２の端部及び水下側の端部は、必要に応じて折り返されていてもよい。
【００２７】
被覆板９０Ｏ，９０Ａ，９０Ｂは、設置面とは反対側の表面に、防水部材９８を有していてよい。防水部材９８は、当該防水部材９８が設けられた被覆板９０Ｏ，９０Ａ，９０Ｂよりも水上側の被覆板９０Ａ，９０Ｂと重なる領域に設けられている。防水部材９８は、横方向Ｆ２に延びていることが好ましい（図５参照）。より好ましくは、防水部材９８は、被覆板９０Ｏ，９０Ａ，９０Ｂの一端から他端まで延びている。これにより、水上側への水の逆流をより抑制することができる。
【００２８】
図４では、水下側の被覆板９０Ａに設けられた防水部材９８と水上側の被覆板９０Ｂとの間に隙間があいている。この代わりに、水下側の被覆板９０Ａに設けられた防水部材９８は、水上側の被覆板９０Ｂと密着していてもよい。
【００２９】
防水部材９８は弾性部材からなることが好ましい。水下側の被覆板９０Ｏ，９０Ａに設けられた防水部材９８は、水上側の被覆板９０Ａ，９０Ｂで覆われているので、水上側の被覆板９０Ａ，９０Ｂからの圧力を受けることがある。防水部材９８が弾性部材からなる場合、防水部材９８が水上側の被覆板９０Ａ，９０Ｂからの圧力を吸収することによって、水下側の被覆板９０Ｏ，９０Ａの変形を防止することができる。
【００３０】
次に、パネルアレイ用の固定具２０Ｏ，２０Ａ，２０Ｂについて、図６〜図９も参照してより詳細に説明する。図６は、一方のパネル１００Ａのみを支持した固定具の斜視図である。図７は、図６の領域７Ａにおける固定具の拡大斜視図である。図８は、図７の矢印８Ａ方向から見た固定具の側面図である。図９は、後述する第３支持部４６を除いた固定具の分解斜視図である。
【００３１】
固定具２０Ｏ，２０Ａ，２０Ｂは、基部３０、固定部材３２、支持部材４０及び締結部材６０を有する。基部３０は、後述する第１積載部４３を支持する突起部３６を有し、固定部材３２によって設置面に固定される。支持部材４０は基部３０上に位置する。締結部材６０は、支持部材４０と基部３０とを互いに締結する。すなわち、締結部材６０は、支持部材４０を基部３０の方へ押し付ける。
【００３２】
支持部材４０は、第１支持部４２と、第２支持部４４と、第３支持部４６と、を有する。第１支持部４２は、互いに隣接するパネルのうちの一方のパネル１００Ａを下方から支持する第１積載部４３を有する。また、第１積載部４３が突起部３６に支持された状態のときは、より強固にパネル１００Ａが支持される。第２支持部４４は、互いに隣接するパネルのうちの他方のパネル１００Ｂを下方から支持する第２積載部４５を有する。
【００３３】
第１支持部４２は基部３０上に設けられている。第２支持部４４は第１支持部４２上に設けられている。第３支持部４６は第１支持部４２上に設けられている。この代わりに、第３支持部４６は第２支持部４４上に設けられていてもよい。締結部材６０は、第１支持部４２、第２支持部４４及び基部３０を互いに締結している。
【００３４】
第３支持部４６は側面当接部５０を有する。側面当接部５０は、第１積載部４３に支持されるパネル１００Ａの側面と第２積載部４５に支持されるパネル１００Ｂの側面との間に挟まれる部分である。
【００３５】
第３支持部４６は、第１フランジ５２及び第２フランジ５４を有していてよい。第１フランジ５２は、側面当接部５０の上部から第１積載部４３側に突出する。第２フランジ５４は、側面当接部５０の上部から第２積載部４５側に突出する。本実施形態では、パネル１００Ａ，１００Ｂの水上側の端部が、第１積載部４３と第１フランジ５２によって支持される。また、パネル１００Ａ，１００Ｂの水下側の端部が、第２積載部４５と第２フランジ５４によって支持される。また、第１のフランジ５２または第２のフランジ５４から上方に突出する雪止め５６が設けられていてもよい。
【００３６】
第３支持部４６は、一方向に沿って延びていてよい。本実施形態では、側面当接部５０は、横方向Ｆ２、すなわち流れ方向Ｆ１に交差する方向に沿って延びている。側面当接部５０は、横方向Ｆ２におけるパネル１００Ａ，１００Ｂの長さと実質的に同じ長さを有することが好ましい。より具体的には、横方向Ｆ２において側面当接部５０の長さとパネル１００Ａ，１００Ｂの長さとの差は、好ましくは１０ｍｍ未満、より好ましくは５ｍｍ未満、さらに好ましくは２ｍｍ未満であってよい。これにより、固定具２０Ｏ，２０Ａ，２０Ｂが、パネル１００Ａ，１００Ｂの横方向Ｆ２に沿った側面を、ほぼ全体的に覆うか、又は完全に覆うことができる。これにより、パネルアレイの外観を良くすることができる。
【００３７】
図６に示すように、第３支持部４６を複数の基部３０が共有してよい。さらに、図示していないが、第１支持部４２及び第２支持部４４は、横方向Ｆ２に側面当接部５０と同様に延びていてもよい。しかしながら、図６に示すように、第１支持部４２及び第２支持部４４は、それぞれ基部３０に対応して設けられていることが好ましい。すなわち、第１支持部４２、第２支持部４４及び基部３０は、第３支持部４６のように一方向に長く延びていなくてもよい。これにより、パネルアレイの取付構造の外観に影響を与え易い領域以外の領域を小さくすることができる。したがって、固定具２０Ｏ，２０Ａ，２０Ｂに必要な材料を削減することができる。
【００３８】
基部３０は、一方向に沿って延びる側面当接部５０に沿ってスライド可能に構成されていることが好ましい。これにより、固定部材３２を取り付ける位置を設置面上の所定の位置に位置合わせすることができる。本実施形態では、第１支持部４２、第２支持部４４及び基部３０が側面当接部５０に沿って一緒にスライド可能に構成されている。
【００３９】
具体的な一例として、第２支持部４４は係合部４４ａを有し、第３支持部４６は係合部４６ａを有する。一例として、第３支持部４６の係合部４６ａは、少なくともスライド可能な区間内で、スライド方向のどの位置においても同一の断面形状を有することが好ましい（図７参照）。これにより、第２支持部４４の係合部４４ａが第３支持部４６の係合部４６ａに関してスライド可能に係合する。また、第２支持部４４と基部３０は、締結部材６０によって互いに締結されることによって第３支持部４６に沿って一緒にスライド可能に構成されている。より具体的には、第１支持部４２、第２支持部４４及び基部３０が、締結部材６０によって互いに締結されることによって第３支持部４６に沿って一緒にスライド可能に構成されている。
【００４０】
第２支持部４４と第３支持部４６とは、側面当接部５０よりも第２積載部４５側で互いに係合していてよい。この場合、第２支持部４４の係合部４４ａは、第３支持部４６の係合部４６ａよりも上方に位置することが好ましい。これにより、第２積載部４５に積載されたパネル１００Ｂが側面当接部５０を第１積載部４３側へ押圧したときに、第２支持部４４と第３支持部４６が互いにより強く係合する。このような固定具２０Ｏ，２０Ａ，２０Ｂは、第１積載部４３を水下側へ向け、かつ第２積載部４５を水上側に向けて設置することに適している。
【００４１】
本実施形態では、第１支持部４２、第２支持部４４及び第３支持部４６は互いに別の部材から構成されている。この代わりに、第１支持部４２と第２支持部４４と第３支持部４６のうちの少なくとも２つは、一体の部材から構成されていてもよい。例えば、第１支持部４２と第３支持部４６とが一体の部材から構成されていてよい。この場合、第２支持部４４と基部３０が側面当接部５０に沿って一緒にスライド可能に構成されていることが好ましい。このような構成を実現するには、例えば、第１支持部４２に形成された締結部材６０を通すための穴が、側面当接部５０に沿って長く延びていればよい。
【００４２】
基部３０を設置面に固定する固定部材３２は、第２積載部４５に積載されるパネル１００Ｂの下方に位置することが好ましい。言い換えると、基部３０を設置面に固定する固定部材３２は、側面当接部５０よりも第２積載部４５側に設けられていることが好ましい。この場合、第１積載部４３にパネル１００Ａを支持させた状態で、固定具２０Ｏ，２０Ａ，２０Ｂの基部３０を固定部材３２によって設置面に固定することができる。
【００４３】
基部３０は、被覆板９０Ｏ，９０Ａ，９０Ｂの水下側の端部９０Ａａ，９０Ｂａと当接する当接面３４を有していてよい。当接面３４は、固定部材３２よりも第１積載部４３側に設けられていることが好ましい。前述したように、１つの固定具２０Ｏ，２０Ａが横方向Ｆ２に複数の基部３０を有する場合、被覆板９０Ａ，９０Ｂは、複数の基部３０のそれぞれの当接面３４に当接していることがより好ましい。さらに、１つの固定具２０Ｏ，２０Ａが横方向Ｆ２に複数の基部３０を有する場合、被覆板９０Ａ，９０Ｂは、複数の基部３０のそれぞれを設置面に固定する複数の固定部材３２を覆っていることが好ましい。
【００４４】
図１０は、締結部材６０を緩めた状態の固定具２０Ｏ，２０Ａ，２０Ｂの側面図である。図１１は、スペーサ７０が設置された固定具の側面図である。図１０に示すように、締結部材６０を緩めることによって、基部３０への支持部材４０の押し付けが解除される。これにより、基部３０と支持部材４０との間に空間を設けることができる。この空間はスペーサ７０を設置するスペーサ領域Ｓを規定する。スペーサ７０は、第１積載部４３と第２積載部４５の両方を基部３０に関して上方に移動させることができる。これにより、互いに隣接するパネル１００Ａ，１００Ｂの両方の高さを同じレベルだけ上げることができる。
【００４５】
より具体的には、第１支持部４２は基部３０上に設けられており、第２支持部４４と第３支持部４６は第１支持部４２上に設けられている。スペーサ領域Ｓは、第１支持部４２と基部３０との間に形成される。このような構成によれば、第１支持部４２と基部３０との間にスペーサ７０を設置するだけで、第１支持部４２と第２支持部４４と第３支持部４６の高さを正確に同じレベルだけ上げることができる。
【００４６】
スペーサ領域Ｓは、固定部材３２を緩めたり、取り外したりすることなく、締結部材６０を緩めることによって形成することができる。すなわち、基部３０が設置面に固定された状態のままで、スペーサ７０を用いたパネル１００Ａの高さ調整を行うことができる。したがって、高さ調整の作業が容易であり、作業員の手間を削減することができる。なお、スペーサ７０を設置する際に、締結部材６０を緩めるだけでなく、締結部材６０を完全に取り外してもよい。
【００４７】
さらに、設置面に固定された固定部材３２を緩めたり、取り外したりする必要がないので、設置面からの固定具２０Ｏ，２０Ａ，２０Ｂの引き抜き強度が低下したり、固定部材３２によって設置面に開けられた穴から雨などの水が浸入することを抑制することができる。
【００４８】
スペーサ領域Ｓは、第１積載部４３に支持されるパネル１００Ａの下方から、第２積載部４５に支持されるパネル１００Ｂの下方まで延びていることが好ましい。より具体的には、スペーサ領域Ｓは、側面当接部５０よりも第１積載部４３側の領域から、側面当接部５０よりも第２積載部４５側の領域まで延びている。これにより、スペーサ７０は、互いに隣接するパネル１００Ａ，１００Ｂの両方の直下に位置し得る。したがって、スペーサ７０を用いた場合であっても、支持部材４０にかかる荷重の偏りを抑制することができるので、支持部材４０は互いに隣接するパネル１００Ａ，１００Ｂの両方を安定的に支持することができる。
【００４９】
締結部材６０は、第２積載部４５に支持されるパネル１００Ｂの下方に位置することが好ましい。言い換えると、締結部材６０は、少なくとも側面当接部５０よりも第２積載部４５側に位置する。この場合、一方のパネル１００Ａのみが第１積載部４３に支持された状態であっても、締結部材６０は、パネル１００Ａに覆われることなく露出している。したがって、一方のパネル１００Ａを支持した状態で、パネル１００Ａの高さ調整を行うことができる。
【００５０】
より具体的には、一方のパネル１００Ａを固定具２０Ｏ，２０Ａ，２０Ｂの第１積載部４３に支持させると、第２積載部４５に他方のパネル１００Ｂを支持させなくても、作業員は横方向Ｆ１に互いに隣接するパネル１００Ａの端部どうしの高さを比較することができる。これにより、作業員は、パネル１００Ａの高さ調整が必要かどうかを判断することができる。高さ調整が必要な場合、作業員は、第１積載部４３に支持されているパネル１００Ａを取り外すことなく、締結部材６０を緩め、スペーサ領域Ｓにスペーサ７０を挿入することができる。このように、高さ調整のために、一度設置したパネル１００Ａを取り外す必要がないので、高さ調整の作業を容易にすることができる。
【００５１】
図１２は、スペーサ７０の一例を示す平面図である。図１２は、参考のため、スペーサ７０が固定具２０Ｏ，２０Ａ，２０Ｂに設置されたときの、スペーサ７０に対する締結部材６０の位置を点線で示している。スペーサ７０は、スペーサ７０の一端から直線状に延びた切り込み部７２を有することが好ましい。切り込み部７２は、締結部材６０の径よりも広い幅を有していてよい。この場合、締結部材６０がスペーサ７０の切り込み部７２を通るように、スペーサ７０を設置面に平行な方向からスペーサ領域Ｓに挿入することができる。これにより、締結部材６０を取り外すことなく、締結部材６０を緩めるだけで、スペーサ７０を固定具２０Ｏ，２０Ａ，２０Ｂに設置することができる。さらに、スペーサ７０は締結部材６０の周りをＵ字型に囲むので、スペーサ７０の位置ずれも防止することができる。
【００５２】
スペーサ領域Ｓを挟んで互いに対向する面、すなわち基部３０の上面と第１支持部４２の下面の両方が平坦であってよい。この場合、設置面に平行な方向からスペーサ領域Ｓにスペーサ７０を容易に挿入することができる。
【００５３】
スペーサ７０の厚み、より具体的にはスペーサ７０の挿入部分の厚みは、例えば１ｍｍ〜２ｍｍの範囲であってよい。必要に応じて、互いに重ねられた複数のスペーサ７０がスペーサ領域Ｓに挿入されてもよい。
【００５４】
図１２に示すスペーサの形状は一例であり、スペーサ７０は、スペーサ領域Ｓに設置可能であれば、どのような形状を有していてもよい。例えば、スペーサ７０は、切り込み部７２を有しない板から構成されていてもよい。なお、複数のスペーサ７０が、スペーサ領域Ｓに互いに並べて設置されてもよい。
【００５５】
（パネルアレイの設置方法）
次に、図１３〜図１６を用いてパネルアレイを設置する方法の一例について説明する。本例では、パネルアレイは、建造物の屋根又は屋根の下地のような傾斜した設置面に設置される。
【００５６】
まず、好ましくは、パネルアレイを設置すべき領域においてスレートや瓦のような屋根材を取り除く（ステップＳ１）。これにより、例えば野地板のような屋根材の下地２２０を露出させる。さらに、任意に、露出した下地の水下側の領域に最も水下側の被覆板９０Ｏを設置する。最も水下側の被覆板９０Ｏは前述した構成を有していてよいが、最も水下側の被覆板９０Ｏの水下側の端部はスレートや瓦のような屋根材２１０の下に挿入されることが好ましい。
【００５７】
次に、パネルアレイを設置する領域において最も水下側の固定具２０Ｏを設置面に固定する（ステップＳ２）。最も水下側の固定具２０Ｏは、固定部材３２によって最も水下側の被覆板９０Ｏを介して屋根材の下地２２０に固定される。最も水下側の固定具２０Ｏは、前述した第２積載部４５が水上側を向くように設置されることが好ましい。
【００５８】
次に、最も水下側の固定具２０Ｏの水上側に水下側の被覆板９０Ａを設置する（ステップＳ３）。水下側の被覆板９０Ａは、水下側の被覆板９０Ａの水下側の端部９０Ａａが最も水下側の被覆板９０Ｏの水上側の端部９０Ｏｂ上に重なるように配置される。さらに、水下側の被覆板９０Ａは、最も水下側の固定具２０Ｏの当接面３４に当接するように配置されることが好ましい。これにより、水下側の被覆板９０Ａが設置面からすべり落ちることを防止することができるとともに、水下側の被覆板９０Ａの位置決めができる。なお、図１３は、この水下側の被覆板９０Ａの水上側の端部９０Ａｂ付近を示している。
【００５９】
前述したように、水下側の被覆板９０Ａの一端部は折り返し部９２を有していてよい。この場合、水下側の被覆板９０Ａは、折り返し部９２が設置面とは反対側で、かつ水上側へ向くように、設置面上に設置されることが好ましい。
【００６０】
また、水下側の被覆板９０Ａは、一方向に延びる防水部材９８を有していてよい。この場合、水下側の被覆板９０Ａは、後のステップで当該水下側の被覆板９０Ａを固定する水下側の固定具２０Ａよりも水上側に防水部材９８が位置し、かつ防水部材９８が流れ方向Ｆ１に交差する方向に延びるように、設置面上に設置されることが好ましい。
【００６１】
次に、最も水下側の固定具２０Ｏの第２積載部４５に水下側のパネル１００Ａの水下側の端部を支持させる（ステップＳ４）。
【００６２】
次に、図１４に示すように、水下側の固定具２０Ａの第１積載部４３上に水下側のパネル１００Ａの水上側の端部を支持させる（ステップＳ５）。この際、水下側の固定具２０Ａは未だ設置面に固定されていなくてもよい。具体的には、水下側のパネル１００Ａの水上側の端部を、水下側の固定具２０Ａの第１フランジ５２と第１積載部４３とで挟む。
【００６３】
次に、水下側の固定具２０Ａの基部３０を、固定部材３２によって屋根材の下地２２０の所定の位置に固定する（ステップＳ６）。水下側の固定具２０Ａが複数の基部３０を有する場合、それぞれの基部３０を下地２２０に固定すればよい。この際、基部３０は、水下側の被覆板９０Ａを介して屋根材の下地２２０に設置されることが好ましい。すなわち、固定部材３２は、基部３０及び被覆板９０Ａを通って下地２２０に固定される。
【００６４】
また、ステップＳ６において、固定部材３２によって基部３０を固定する直前に、横方向Ｆ２において設置面の所定の位置に基部３０を位置決めすることが好ましい。基部３０の位置決めは、側面当接部５０に沿って基部３０をスライドさせることによって行うことができる。
【００６５】
建造物の屋根のような設置面では、比較的強度の高いところと比較的強度の低いところが存在し得る。例えば、野地板のような下地２２０の下に設けられた垂木２２２の位置に固定部材３２を取り付けた方が、固定具２０Ａをしっかりと固定することができる。ここで、垂木２２２は、屋根の流れ方向Ｆ１に沿って延びており、かつ屋根の横方向Ｆ２に間隔をあけて複数設けられる。したがって、固定部材３２が垂木２２２に到達可能なように基部３０の位置決めを行うことが好ましい。
【００６６】
前述したように、基部３０の、固定部材３２が取り付けられる位置が、第２積載部４５に設置されるパネル１００Ｂの下方に存在することが好ましい。この場合、固定具２０Ａの第１積載部４３にパネル１００Ａが設置されていたとしても、当該パネル１００Ａを取り外すことなく、固定部材３２によって基部３０を設置面に固定することができる。
【００６７】
次に、水下側のパネル１００Ａの高さ調整が必要かどうか判断する（ステップＳ７）。水下側のパネル１００Ａの高さ調整の必要性は、横方向Ｆ２に互いに隣接するパネル１００Ａの高さを比較することによって行うことができる。
【００６８】
水下側のパネル１００Ａの高さ調整が必要な場合、図１５に示すように、水下側の固定具２０Ａのスペーサ領域Ｓにスペーサ７０を設置する（ステップＳ８）。具体的には、締結部材６０を取り外す、又は緩めることによって、水下側の固定具２０Ａに前述したスペーサ領域Ｓを形成する。それから、スペーサ領域Ｓにスペーサ７０を設置する。これにより、水下側のパネル１００Ａの水上側の端部の高さを上げることができる。
【００６９】
次に、図１６に示すように、水下側の固定具２０Ａの水上側に水上側の被覆板９０Ｂを設置する（ステップＳ９）。水上側の被覆板９０Ｂは、水上側の被覆板９０Ｂの水下側の端部９０Ｂａが水下側の被覆板９０Ａの水上側の端部９０Ａｂ上に重なるように配置される。ここで、水上側の被覆板９０Ｂの水下側の端部９０Ｂａは、水下側の被覆板９０Ａの折り返し部９２及び防水部材９８を覆う。さらに、水上側の被覆板９０Ｂは、水下側の固定具２０Ａの当接面３４に当接するように配置されることが好ましい。これにより、水上側の被覆板９０Ｂが設置面からすべり落ちることを防止することができるとともに、水上側の被覆板９０Ｂの位置決めができる。より好ましくは、水上側の被覆板９０Ｂは、水下側の固定具２０Ａを固定する固定部材３２を覆うように設置される。なお、本ステップＳ９は、ステップＳ８よりも前に行ってもよい。
【００７０】
次に、水下側の固定具２０Ａの第２積載部４５上に水上側のパネル１００Ｂの水下側の端部を支持させる（ステップＳ１０）。具体的には、水上側のパネル１００Ｂの水下側の端部を、水下側の固定具２０Ａの第２フランジ５４と第２積載部４５とで挟む。
【００７１】
次に、水上側の固定具２０Ｂの第１積載部４３上に水上側のパネル１００Ｂの水上側の端部を支持させ、水上側の固定具２０Ｂを水上側の被覆板９０Ｂを介して屋根材の下地２２０に固定する。このように、ステップＳ５からステップＳ１０を、流れ方向Ｆ１に並べるパネルの数に応じて繰り返す。最も水上側の固定具２０Ｂを被覆板９０Ｂを介して屋根材の下地２２０に固定することによって、パネルアレイを構成する全てのパネルが設置面上に設置される。
【００７２】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００７３】
例えば、上記実施形態では、パネルアレイは、屋根の下地のような傾斜面に設置されている。この代わりに、パネルアレイは、屋根の下地に限らず、任意の傾斜面に設置することができる。
【００７４】
上記実施形態では、第１積載部４３が水下側のパネルを支持し、第２積載部４５が水上側のパネルを支持している。この代わりに、固定具２０Ｏ，２０Ａ，２０Ｂは、第２積載部４５が水下側のパネルを支持し、第１積載部４３が水上側のパネルを支持するように向けられてもよい。また、上記実施形態では、各固定具２０Ｏ，２０Ａ，２０Ｂは、流れ方向Ｆ１に互いに隣接するパネルを支持するように設置される。
【００７５】
上記実施形態では、第３支持部４６は一方向に延びている。この代わりに、第３支持部４６は、基部３０ごとに分離していてもよい。この場合、１つのパネル１００Ａ，１００Ｂの一側面を支持するために複数の固定具が用いられる。
【００７６】
また、上記実施形態では、パネルアレイは、流れ方向Ｆ１及び横方向Ｆ２に複数並んだパネル１００Ａ，１００Ｂを有する。この代わりに、パネルアレイは、流れ方向Ｆ１のみに複数並んだパネルを有するものであってもよい。
【００７７】
さらに、パネルアレイを設置する方法は、上記実施形態で説明した方法に限定されない。例えば、パネルアレイを設置する方法は、パネルの高さ調整をするステップを有していなくてもよい。
【符号の説明】
【００７８】
２０Ｏ，２０Ａ，２０Ｂ      固定具
３２      固定部材
９０Ｏ，９０Ａ，９０Ｂ      被覆板
９２      折り返し部
９８      防水部材
１００Ａ，１００Ｂ  パネル
Ｆ１      流れ方向
Ｆ２      横方向
【図１】
2018003245.tif 000003
【図２】
2018003245.tif 000004
【図３】
2018003245.tif 000005
【図４】
2018003245.tif 000006
【図５】
2018003245.tif 000007
【図６】
2018003245.tif 000008
【図７】
2018003245.tif 000009
【図８】
2018003245.tif 000010
【図９】
2018003245.tif 000011
【図１０】
2018003245.tif 000012
【図１１】
2018003245.tif 000013
【図１２】
2018003245.tif 000014
【図１３】
2018003245.tif 000015
【図１４】
2018003245.tif 000016
【図１５】
2018003245.tif 000017
【図１６】
2018003245.tif 000018